(57)【要約】【課題】  搭載された蓄電池の蓄電残量に応じて、種々の報知（報知種類の変更や報知量の変更）を行えるようにした携帯端末等を提供する。【解決手段】  携帯電話機５９の携帯電話機制御部４９が、充電装置７９から送信されてくる探索信号を受信したとき、内蔵充電池４３の蓄電残量を把握するようになっている。そして、携帯電話機制御部４９は、把握した蓄電残量に応じて、報知ユニット２１による報知量を可変させるようになっている。【選択図】        図１
2006217346.tif 000002
【特許請求の範囲】
【請求項１】
電波信号を送受信する端末通信部と、外部に対して報知を行う報知ユニットと、少なくとも上記の端末通信部および報知ユニットを制御する端末制御部とを含む一方、搭載された蓄電池による電力を用いて動作する携帯端末において、
上記端末通信部が、携帯端末を探索している旨を示す探索信号を受信した場合、
上記の端末制御部は、その受信時点での上記蓄電池の現蓄電残量を把握し、その現蓄電残量に応じて、上記報知ユニットによる報知量を可変させることを特徴とする携帯端末。
【請求項２】
上記端末制御部は、
上記探索信号に含まれる上記蓄電池の予想蓄電残量を示す予想蓄電残量信号も受信する一方、
上記の現蓄電残量および予想蓄電残量における少なくとも一方に応じて、上記報知ユニットによる報知量を可変させることを特徴とする請求項１に記載の携帯端末。
【請求項３】
電波信号を送受信する端末通信部と、外部に対して報知を行う報知ユニットと、少なくとも上記の端末通信部および報知ユニットを制御する端末制御部とを含む一方、搭載された蓄電池による電力を用いて動作する携帯端末において、
上記端末通信部が、携帯端末を探索している旨を示す探索信号を受信した場合、
上記の端末制御部は、上記探索信号に含まれる上記蓄電池の予想蓄電残量を示す予想蓄電残量信号も受信し、
上記の予想蓄電残量に応じて、上記報知ユニットによる報知量を可変させることを特徴とする携帯端末。
【請求項４】
上記報知ユニットは、
表示部、放音部、発光部、振動部、および補助光源部における少なくとも１つを備えるように構成されていることを特徴とする請求項１〜３のいずれか１項に記載の携帯端末。
【請求項５】
上記報知ユニットが、上記の表示部、放音部、発光部、振動部、および補助光源部における、いずれかの複数で構成されている場合、
上記端末制御部は、上記の現蓄電残量および予想蓄電残量における少なくとも一方に応じて、報知ユニットを構成する上記の複数の部から、少なくとも１つを選択することで、上記報知量を可変させていることを特徴とする請求項４に記載の携帯端末。
【請求項６】
携帯端末における蓄電池に対して、外部電源からの電力を給電する給電部と、
上記携帯端末を探索している旨を示す探索信号を送信する第１通信部と、
を含む充電装置。
【請求項７】
上記給電部による上記蓄電池への蓄電完了後、
その完了後からの経過時間を計測する経過時間計測部が備えられるとともに、
上記経過時間に応じて変化する上記蓄電地の予想蓄電残量を示す予想蓄電残量信号を生成し、この予想蓄電残量信号を上記探索信号に含ませる装置制御部が備えられたことを特徴とする請求項６に記載の充電装置。
【請求項８】
請求項１〜５のいずれか１項に記載の携帯端末と、請求項６または７に記載の充電装置とから構成される通信システムユニット。
【請求項９】
搭載された蓄電池による電力を用いて、電波信号を送受信する一方、外部に対して報知を行う携帯端末の報知制御方法において、
携帯端末を探索している旨を示す探索信号を受信する探索信号受信工程と、
上記探索信号の受信時点での上記蓄電池の現蓄電残量を把握する現蓄電残量把握工程と、
上記の現蓄電残量に応じて、報知量を可変させる報知量可変工程とを含むことを特徴とする携帯端末の報知制御方法。
【請求項１０】
上記の探索信号受信工程において、
探索信号に含まれる上記蓄電池の予想蓄電残量を示す予想蓄電残量信号も受信する一方、
上記の報知量可変工程において、
上記の現蓄電残量および予想蓄電残量における少なくとも一方に応じて、報知量を可変させることを特徴とする請求項９に記載の携帯端末の報知制御方法。
【請求項１１】
搭載された蓄電池による電力を用いて、電波信号を送受信する一方、外部に対して報知を行う携帯端末の報知制御方法において、
携帯端末を探索している旨を示す探索信号を受信するとともに、この探索信号に含まれる上記蓄電池の予想蓄電残量を示す予想蓄電残量信号も受信する探索信号受信工程と、
上記の予想蓄電残量に応じて、報知量を可変させる報知量可変工程とを含むことを特徴とする携帯端末の報知制御方法。
【請求項１２】
上記の報知量可変工程を構成する上記報知が、
表示報知、放音報知、発光報知、振動報知、および補助光報知における、少なくとも１つの報知であることを特徴とする請求項１０または１１に記載の携帯端末の報知制御方法。
【請求項１３】
上記報知が、上記の表示報知、放音報知、発光報知、振動報知、および補助光報知における、いずれかの複数の報知である場合、
上記の現蓄電残量および予想蓄電残量における少なくとも一方に応じて、上記の複数の報知から、少なくとも１つの報知を選択することで、上記報知可変工程を行っていることを特徴とする請求項１２に記載の携帯端末の報知制御方法。
【請求項１４】
電波信号を送受信する端末通信部と、外部に対して報知を行う報知ユニットと、少なくとも上記の端末通信部および報知ユニットを制御する端末制御部と、を含む一方、搭載された蓄電池による電力を用いて動作する携帯端末の報知制御プログラムにおいて、
上記端末通信部に、携帯端末を探索している旨を示す探索信号を受信させるように機能させ、その探索信号を受信した場合、
上記の端末制御部に、
上記探索信号の受信時点での上記蓄電池の現蓄電残量を把握させ、その現蓄電残量に応じて、上記報知ユニットによる報知量を可変させるように機能させることを特徴とする携帯端末の報知制御プログラム。
【請求項１５】
上記端末制御部に、
上記探索信号に含まれる上記蓄電池の予想蓄電残量を示す予想蓄電残量信号も受信させる一方、
上記の現蓄電残量および予想蓄電残量における少なくとも一方に応じて、上記報知ユニットによる報知量を可変させるように機能させることを特徴とする請求項１４に記載の携帯端末の報知制御プログラム。
【請求項１６】
電波信号を送受信する端末通信部と、外部に対して報知を行う報知ユニットと、少なくとも上記の端末通信部および報知ユニットを制御する端末制御部と、を含む一方、搭載された蓄電池による電力を用いて動作する携帯端末の報知制御プログラムにおいて、
上記端末通信部に、携帯端末を探索している旨を示す探索信号を受信させるように機能させ、その探索信号を受信した場合、
上記の端末制御部に、
上記探索信号に含まれる上記蓄電池の予想蓄電残量を示す予想蓄電残量信号も受信させ、
この予想蓄電残量に応じて、上記報知ユニットによる報知量を可変させるように機能させることを特徴とする携帯端末の報知制御プログラム。
【請求項１７】
上記報知ユニットに、
表示報知、放音報知、発光報知、振動報知、および補助光報知における少なくとも１つの報知を行わせるように機能させることを特徴とする請求項１４〜１６のいずれか１項に記載の携帯端末の報知制御プログラム。
【請求項１８】
上記報知ユニットが、表示報知、放音報知、発光報知、振動報知、および補助光報知における、いずれかの複数を行うように機能している場合、
上記端末制御部に、上記の現蓄電残量および予想蓄電残量における少なくとも一方に応じて、報知ユニットによる複数の報知から、少なくとも１つの報知を選択させることで、上記報知量を可変させるように機能させることを特徴とする請求項１７に記載の携帯端末の報知制御プログラム。
【請求項１９】
請求項１４〜１８のいずれか１項に記載した携帯端末の報知制御プログラムを記録したコンピューター読み取り可能な記録媒体。
【発明の詳細な説明】
【技術分野】
【０００１】
本発明は、例えば、携帯可能な端末（携帯電話機等）や、この携帯端末に対する充電装置、そして、携帯端末・充電装置から構成される通信システムユニット等に関するものである。
【背景技術】
【０００２】
最近、携帯可能な端末、例えば携帯電話機等の普及率は、極めて高いものとなっている。そして、このような携帯電話機は、携帯性の向上のためにコンパクトに設計されている。
【０００３】
そのため、多くの人が、携帯電話機の置き場所を忘れてしまい、その携帯電話機を紛失させている。
【０００４】
かかるような事態を防止すべく、特許文献１の携帯電話機（携帯形通信装置）では、使用者（ユーザー）の声（呼出音）等に反応して、携帯電話機が応答音を発するようになっている。
【０００５】
このような携帯電話機であれば、例えば家庭に設置されている固定電話から、携帯電話機に電話をかけて、携帯電話機に発信音を鳴らさせることなく、その携帯電話機の置き場所を特定できる。したがって、特許文献１では、携帯電話機を探すために、電話代がかかることのない、安価な捜索方法を実現させた携帯電話機が記載されているといえる。
【特許文献１】特開２００２−５７７４９号公報
【発明の開示】
【発明が解決しようとする課題】
【０００６】
しかしながら、この携帯電話機では、ユーザーに対する応答音は一定音量のみとなっている。したがって、携帯電話機内に搭載されている蓄電池の蓄電残量が一定以下の場合、長時間にわたって、応答音を鳴らし続けることができない。そのため、ユーザーが携帯電話機を探し出す前に、応答音を鳴らせない状態におちいる場合（応答音を鳴らせない程度の蓄電残量になってしまう場合）がある。
【０００７】
本発明は、上記の問題点を解決するためになされたものであって、その目的は、搭載された蓄電池の蓄電残量に応じて、種々の報知（報知種類の変更や報知量の変更）を行えるようにした携帯電話機（携帯端端末等）を提供することにある。
【課題を解決するための手段】
【０００８】
本発明は、電波信号を送受信する端末通信部と、外部に対して報知を行う報知ユニットと、少なくとも上記の端末通信部および報知ユニットを制御する端末制御部とを含む一方、搭載された蓄電池による電力を用いて動作する携帯端末であって、上記端末通信部が、携帯端末を探索している旨を示す探索信号を受信した場合、上記の端末制御部は、その受信時点での上記蓄電池の現蓄電残量を把握し、その現蓄電残量に応じて、上記報知ユニットによる報知量を可変させることを特徴としている。
【０００９】
また、本発明では、上記端末制御部は、上記探索信号に含まれる上記蓄電池の予想蓄電残量を示す予想蓄電残量信号も受信する一方、上記の現蓄電残量および予想蓄電残量における少なくとも一方に応じて、上記報知ユニットによる報知量を可変させることが好ましい。
【００１０】
また、本発明は、電波信号を送受信する端末通信部と、外部に対して報知を行う報知ユニットと、少なくとも上記の端末通信部および報知ユニットを制御する端末制御部とを含む一方、搭載された蓄電池による電力を用いて動作する携帯端末であって、上記端末通信部が、携帯端末を探索している旨を示す探索信号を受信した場合、上記の端末制御部は、上記探索信号に含まれる上記蓄電池の予想蓄電残量を示す予想蓄電残量信号も受信し、上記の予想蓄電残量に応じて、上記報知ユニットによる報知量を可変させることを特徴としている。
【００１１】
なお、上記報知ユニットは、表示部、放音部、発光部、振動部、および補助光源部における少なくとも１つを備えるように構成されていることが好ましい。
【００１２】
以上のような、本発明によると、現蓄電残量・予想蓄電残量の少なくとも一方に応じて、報知量（音量、発光量、振動量等）を可変させることもできるようになっている。
【００１３】
例えば、報知ユニットが表示部・放音部から構成されている場合、発光量・音量が可変するようになっている一方、報知ユニットが放音部のみから構成されている場合、音量が可変（例えば音量が増減）するようになっている。つまり、本発明の携帯端末は、具備された報知ユニットにおいて、蓄電残量（現蓄電残量・予想蓄電残量等）に応じて、種々の報知量（音量、発光量、振動量等）を可変させられるようになっている。
【００１４】
したがって、蓄電残量に応じた種々の報知が可能になっている。
【００１５】
なお、本発明の携帯端末において、上記報知ユニットが、上記の表示部、放音部、発光部、振動部、および補助光源部における、いずれかの複数で構成されている場合、上記端末制御部は、上記の現蓄電残量および予想蓄電残量における少なくとも一方に応じて、報知ユニットを構成する上記の複数の部から、少なくとも１つを選択することで、上記報知量を可変させることもできる。
【００１６】
例えば、消費電力の比較的大きな振動部は、蓄電残量の少ない場合には使用させないようにしたり、消費電力の比較的少ない放音部・発光部は、蓄電残量の少ない場合には両方ともに使用させたりできる。つまり、本発明の携帯端末はでは、複数具備された各部を選択的に駆動させることで、報知量を可変させることもできる。
【００１７】
なお、選択的に駆動する各部において、各報知量（例えば、放音部の場合なら音量、発光部の場合なら発光量）を可変できるようになっていることはいうまでもない。
【００１８】
また、本発明の充電装置では、携帯端末における蓄電池に対して、外部電源からの電力を給電する給電部と、上記携帯端末を探索している旨を示す探索信号を送信する第１通信部とを含むようになっている。したがって、ユーザーは、充電装置から探索信号を発信させることができる。
【００１９】
また、本発明の充電装置には、上記給電部による上記蓄電池への蓄電完了後、その完了後からの経過時間を計測する経過時間計測部が備えられるとともに、上記経過時間に応じて変化する上記蓄電地の予想蓄電残量を示す予想蓄電残量信号を生成し、この予想蓄電残量信号を上記探索信号に含ませる装置制御部が備えられている。したがって、携帯端末に上記予想蓄電信号を送信でき、携帯端末の蓄電残量を表す指針の選択幅をひろげることができる。
【００２０】
なお、上述してきた携帯端末と、充電装置とから構成される通信システムユニットであっても、以上の効果が発揮されることはいうまでもない。
【発明の効果】
【００２１】
本発明では、携帯端末を探す場合、その携帯端末は、蓄電残量に応じて、適切な報知、すなわち蓄電残量の比較的多い場合には比較的大きな報知量で報知する一方、蓄電残量の比較的少ない場合には比較的小さな報知量で報知を行うようになっている。
【００２２】
そのため、蓄電残量の比較的多い場合には、ユーザーは容易に携帯端末を探し出せる。また、蓄電残量の比較的少ない場合、報知させることで、蓄電残量が減少し、早期に駆動停止するような事態を防止できる。
【発明を実施するための最良の形態】
【００２３】
本発明の実施の一形態について、図面に基づいて説明すれば、以下の通りである。
［実施の形態１］
図１は、本発明の携帯電話機（携帯端末）５９、および充電装置７９の内部構成を示すブロック図である。なお、この携帯電話機５９と充電装置５９とを組み合わせたものを通信システムユニット８９とする。
〔携帯電話機の構成について〕
図１に示すように携帯電話機５９は、無線ユニット１１、通話ユニット１５、報知ユニット２１、カメラユニット２５、入力ユニット３１、外部機器接続端子部３５、電源ユニット４１、おとび制御ユニット４５を含むように構成されている。
【００２４】
無線ユニット１１は、ベースバンド部１２、携帯電話機通信部１３、およびアンテナ（携帯電話機用アンテナ）１４を含むように構成されている。
【００２５】
そして、ベースバンド部１２は、ＣＤＭＡ（Code Division Multiple Access）処理回路１２ａおよび音声ＣＯＤＥＣ処理回路１２ｂを含むように構成されている。
【００２６】
ＣＤＭＡ処理回路１２ａは、符号分割多重接続を行う回路である。つまり、不図示の基地局からの電波信号（複数の発信者の音声信号にそれぞれ異なる符号を乗算し、すべての音声信号を合成して１つの周波数を使って送られてきた信号）を受信し、所望の相手の符号を合成信号に乗算することにより、相手の音声信号のみを取り出すようになった回路である。
【００２７】
音声ＣＯＤＥＣ処理回路１２ｂは、音声信号を圧縮（符号化）・伸長（復号化）させたり、Ａ／Ｄ変換・Ｄ／Ａ変換させたりするものである。
【００２８】
また、携帯電話機通信部１３は、アンテナ１４を介して基地局（不図示）からの電波信号を受信したり、ベースバンド部１２からの送信信号を基地局に向けて発信させたりするものである。その上、携帯電話機通信部１３は、後述する探索信号も受信できるようになっている。
【００２９】
そして、通話ユニット１５は、通話用スピーカー１６、通話用マイクロフォン１７、および外部用スピーカー１８と、これらの通話用スピーカー１６、通話用マイクロフォン１７、および外部用スピーカー１８のそれぞれにつながる増幅回路１６ａ・１７ａ・１８ａとを含むように構成されている。
【００３０】
通話用スピーカー１６は、ユーザーが通話等のための音声を発するものである。なお、この通話用スピーカー１６につながる増幅回路（ＴＳ増幅回路）１６ａは、ベースバンド部１２からの電気信号を音声（音声信号）に変換するようになっている。
【００３１】
通話用マイクロフォン１７は、ユーザーの発する声（音声）等を集音するものである。なお、この通話用マイクロフォン１７につながる増幅回路（ＴＭ増幅回路）１７ａは、音声（音声信号）を電気信号に変換して、ベースバンド部１２へと送信するようになっている。
【００３２】
外部用スピーカー１８は、例えば通話内容の音声を周囲の人に聞かせたり、着信音（基地局からの電波信号を受信したときに鳴らす音）を鳴動（放音）させたりするものである。したがって、周囲の人等にも聞き取りやすくするために、この外部用スピーカー１８は、例えば通話用スピーカー１６の配設面に対する背面側に設置されるようになっている。
【００３３】
なお、この外部用スピーカー１８につながる増幅回路（ＯＳ増幅回路）１８ａは、ＴＳ増幅回路１６ａと同様に、ベースバンド部１２からの電気信号を音声（音声信号）に変換するようになっている。
【００３４】
そして、この外部用スピーカー１８は、放音によってユーザーに対して知らしめる機能を有するともいえるので、後述の報知ユニット２１と表現してもよい
また、通話用スピーカー１６の通話音量や通話用マイクロフォン１７の集音感度は、音声ＣＯＤＥＣ処理回路１２ｂによって、適宜変更されるようになっている。
【００３５】
そして、報知ユニット２１は、ＬＥＤ２２、表示部２３、およびバイブレーター２４を含むように構成されている。
【００３６】
ＬＥＤ（Light Emitting Diode）２２は、携帯電話機５９が基地局からの電波信号を受信したときや、この携帯電話機５９を紛失したときに光らせる発光部である。
【００３７】
表示部２３は、例えば発光するバックライト装置・液晶表示パネルから構成されており、電話番号や時刻、内蔵充電池４３（後述）の残量、通話圏内か否かの判別結果表示、文字メッセージ（メール内容等）、または音声メッセージの有無等の文字情報等を表示させるものである。
【００３８】
バイブレーター２４は、携帯電話機５９が基地局からの電波信号を受信したときや、この携帯電話機５９を紛失したときに、本体（携帯電話機５９）を振動させるための振動部である。
【００３９】
そして、カメラユニット２５は、レンズ・ＣＣＤ（Charge Coupled Devices）等を含めた撮影部２６、およびフラッシュ部（補助光源）２７を含むように構成されている。
【００４０】
撮影部２６はレンズを介して取得した光像をＣＣＤによって電気信号に変換させるものである。フラッシュ部２７は、光像を取得するための補助光源である。
【００４１】
なお、このフラッシュ部２７も発光することから、ユーザーに対して知らしめる機能を有するともいえるので、報知ユニット２１と表現してもよい。
【００４２】
そして、入力ユニット３１は、種々の入力動作を行うためのキー群であり、少なくとも、テンキー３１ａ、通話キー３１ｂ、終話キー３１ｃ、およびライトキー３１ｄを含むように構成されている。
【００４３】
テンキー３１ａは、例えば電話番号等の数字の入力や、メール内容等の文字の入力等を行うためのキーである。
【００４４】
通話キー３１ｂは、通話用スピーカー１６による通話内容の放音、および通話用マイクロフォン１７によるユーザーの声等の集音を開始させるためのキーである。
【００４５】
終話キー３１ｃは、通話用スピーカー１６・通話用マイクロフォン１７の動作を停止させるためのキーである。
【００４６】
ライトキー３１ｄは、ユーザーによって、フラッシュ部２７を発光させるためのキーである。
【００４７】
そして、外部機器接続端子部３５は、例えば外付けスピーカー３６や外付けマイクロフォン３７（これらを外部機器とする）を本体（携帯電話機５９）に接続するための端子部である。なお、このような外付けスピーカー３６や外付けマイクロフォン３７の一例としては、車両に乗ったユーザーによって使用されるハンズフリー通話セット等が挙げられる。
【００４８】
そして、電源ユニット４１は、充電装置接続部４２、内蔵充電池（蓄電地）４３、および切替スイッチ４４を含むように構成されている。
【００４９】
充電装置接続部４２は、充電装置７９から供給される電力（例えばＤＣ１２Ｖ）を受けて、内蔵充電池４３の電圧（例えばＤＣ３．６Ｖ）よりも若干高い電圧（例えば４．１Ｖ）に変換するものである。
【００５０】
内蔵充電池４３は、充電装置７９から供給される電力を充電装置接続部４２を介して蓄電するものである。
【００５１】
切替スイッチ４４は、携帯電話機５９の「駆動電力」（図１参照）として、充電装置７９からの供給電力を用いるか、内蔵充電池４３からの供給電力を用いるかを選択するものである。
【００５２】
そして、制御ユニット４５は、切替回路４６、ＲＡＭ（Random Access Memory）４７、ＲＯＭ（Read Only Memory）４８、および携帯電話機制御部（Ｐ制御部）４９を含むように構成されている。
【００５３】
切替回路４６は、Ｐ制御部４９の命令に基づいて、３つの増幅回路（ＴＳ増幅回路１６ａ・ＴＭ増幅回路１７ａ・ＯＳ増幅回路１８ａ）および外部機器接続端子部３５と、ベースバンド部１２との接続を切り替える（ＯＮ／ＯＦＦ）ものである。
【００５４】
ＲＡＭ（携帯電話機用ＲＡＭ）４７は、Ｐ制御部４９による処理結果等を記憶するものであり、ＲＯＭ（携帯電話機用ＲＯＭ）４８は、携帯電話機５９を動作させるための制御プログラム等を記憶するものである。
【００５５】
Ｐ制御部（端末制御部）４９は、携帯電話機５９全体の動作制御等を行う中枢部分となっており、携帯電話機５９の各部材の駆動を有機的に制御して、統括制御するものである。
【００５６】
例えば、Ｐ制御部４９は、切替回路４６に切替信号を送信したり、電源ユニット４１の切替スイッチ４４に対して、切替信号を送信したりするようになっている。
〔充電装置の構成について〕
次に、充電装置７９の内部構成について説明する。充電装置７９は、給電接続部（給電部）６１、充電装置通信部（第１通信部）６２、タイマー（経過時間計測部）６３、探索開始キー６４ａ、探索停止キー６４ｂ、ＲＡＭ（充電装置用ＲＡＭ）６５、ＲＯＭ（充電装置用ＲＯＭ）６６、および充電装置制御部（Ｂ制御部）６７を含むように構成されている。
【００５７】
給電接続部６１は、携帯電話機５９の充電装置接続部４２を介して、携帯電話機５９の内蔵充電池４３に電力を供給するものである。なお、この供給する電力は、商用電源（外部電源）７８の電力（例えば家庭用のコンセント差込口からの供給電力）を利用している。
【００５８】
充電装置通信部６２は、アンテナ６２ａを介し、携帯電話機通信部１３と通信するためのものである。そして、ユーザーが携帯電話機５９を亡失してしまい、それを探そうとする場合（探索する場合）、その旨を示す探索信号を携帯電話機５９に向けて送信するものである（探索信号発信工程；したがって、携帯電話機５９の携帯電話機通信部１３がこの信号を受信することを、探索信号受信工程と表現する）。
【００５９】
タイマー６３は、給電接続部６１を介して、商用電源７８からの電力を携帯電話機５９の内蔵充電池４３に最大限に蓄電させた場合、その蓄電完了後からの経過時間を計測するものである。
【００６０】
探索開始キー６４ａは、ユーザーによって上記の探索信号を充電装置通信部６２に送信させることを決定させるものである。
【００６１】
探索停止キー６４ｂは、詳細については後述するが、携帯電話機５９の報知ユニット２１による報知の停止を決定させるものである。具体的には、この探索停止キー６４ｂを押下することを契機に、Ｂ制御部６７が、報知ユニット２１による報知を停止させる報知停止信号を生成し、その報知停止信号を充電装置通信部６２を介して、携帯電話機５９へと送信させるものである。
【００６２】
ＲＡＭ（充電装置用ＲＡＭ）６５は、Ｂ制御部６７による処理結果等を記憶するものであり、ＲＯＭ（充電装置用ＲＯＭ）６６は、充電装置７９を動作させるための制御プログラム等を記憶するものである。
【００６３】
Ｂ制御部（装置制御部）６７は、充電装置７９全体の動作制御等を行う中枢部分となっており、充電装置７９の各部材の駆動を有機的に制御して、統括制御するものである。
【００６４】
例えば、Ｂ制御部６７は、充電装置通信部６２を通じて上記の探索信号を送信等するようになっている。
【００６５】
また、Ｂ制御部６７は、タイマー６３の経過時間に応じて、内蔵充電池４３の蓄電残量を予測し（予測蓄電残量を導き）、その予測内容を示す信号（予測蓄電残量を示す予測蓄電残量信号）を上記の探索信号に含ませるようにする。
【００６６】
そのため、携帯電話機５９の携帯電話機通信部１３は、予測蓄電残量信号を含む探索信号を受信することもある（探索信号受信工程）。
〔携帯電話機の制御部（Ｐ制御部）について〕
ここで、本発明の携帯電話機５９のＰ制御部４９について詳説する。Ｐ制御部４９は、内蔵充電池４３における蓄電残量を把握するようになっている（現蓄電残量把握工程）。つまり、内蔵充電池４３の電力（蓄電量）が駆動電力として使用されていくにしたがい、減少していく蓄電残量を把握できるようになっている。
【００６７】
なお、Ｐ制御部４９は、常に蓄電残量を把握する必要はない。具体的には、充電装置７９から送信されてくる探索信号を受信したときには、必ず蓄電残量を把握するようになっている。なお、このような探索信号を受信したときの蓄電残量を現蓄電残量と表現する。
そして、Ｐ制御部４９は、把握した蓄電残量に応じて、報知ユニット２１による報知量を可変させるようになっている（報知量可変工程）。
【００６８】
ここでの報知量を可変させるということは、種々のパターンが想定される。例えば、上述したように、報知ユニット２１は、ＬＥＤ２２、表示部２３、バイブレーター２４、外部用スピーカー１８、およびフラッシュ部２７を含むようになっている。そのため、一例として、以下のパターンを列挙できる。
（１）ＬＥＤ２２・表示部２３・バイブレーター２４・外部用スピーカー１８・フラッシュ部２７の中から、少なくとも１つを駆動させる。
（２）駆動させる部材（ＬＥＤ２２・表示部２３・バイブレーター２４・外部用スピーカー１８・フラッシュ部）の報知量（光量、音量、振動量等）を変化させる。
【００６９】
上記の（１）のパターンの場合、例えばＲＯＭ４８に記憶されている複数段階に設定された閾蓄電残量を満たすか否かで、駆動する部材を決定するようになっている。
【００７０】
例えば、５段階の閾蓄電残量（第１〜第５閾蓄電残量；第１閾蓄電残量＞第２閾蓄電残量＞第３閾蓄電残量＞第４閾蓄電残量＞第５閾蓄電残量）が設定されているとする。すると、下記のような例が挙げられる。
（ａ）内蔵充電池４３に第１閾蓄電残量を満たす程度の蓄電残量が残っている場合、Ｐ制御部４９は、ＬＥＤ２２・表示部２３・バイブレーター２４・外部用スピーカー１８・フラッシュ部２７の全てを駆動させるようになっている。
（ｂ）内蔵充電池４３に第３閾蓄電残量を満たさないが第４閾蓄電残量を満たす程度の蓄電残量が残っている場合、Ｐ制御部４９は、バイブレーター２４・表示部２３・フラッシュ部２７は振動・発光等させずに、残りの外部用スピーカー１８・ＬＥＤ２２を駆動（放音・発光）させるようになっている。
（ｃ）内蔵充電池４３に第５閾蓄電残量すら満たさない程度の蓄電残量しか残っていない場合、Ｐ制御部４９は、最も消費電力の低い例えば外部用スピーカー１８のみを駆動させるようになっている。
【００７１】
このように上述した以外にも複数の組合せが想定でき、具体的には３１通りの部材の組合せが考えられるようになっている。
【００７２】
また、上記の（２）のパターンの場合でも、同じようにＲＯＭ４８等に記憶されている複数段階に設定された閾蓄電残量を満たすか否かで、駆動する部材の報知量を決定するようになっている。
【００７３】
例えば、ＬＥＤ２２に対応するＡ１〜Ａ５閾蓄電残量（Ａ１閾蓄電残量＞Ａ２閾蓄電残量＞Ａ３閾蓄電残量＞Ａ４閾蓄電残量＞Ａ５閾蓄電残量）、表示部２３に対応するＢ１〜Ｂ５閾蓄電残量、バイブレーター２４に対応するＣ１〜Ｃ５閾蓄電残量、外部用スピーカー１８に対応するＤ１〜Ｄ５閾蓄電残量、およびフラッシュ部２７に対応するＥ１〜Ｅ５閾蓄電残量が設定されているとする。すると、下記のような例が挙げられる。
【００７４】
なお、Ｂ・Ｃ・Ｄ・Ｅ閾蓄電残量における各閾蓄電残量内の大小関係は、Ａ閾蓄電残量での、「Ａ１閾蓄電残量＞Ａ２閾蓄電残量＞Ａ３閾蓄電残量＞Ａ４閾蓄電残量＞Ａ５閾蓄電残量」の関係と同様に、数値の高いものほど、閾蓄電残量は高くなっている。
（ｄ）上記の（ａ）に示すように、ＬＥＤ２２・表示部２３・バイブレーター２４・外部用スピーカー１８・フラッシュ部２７の全てを駆動させるとき、内蔵充電池４３にＡ１・Ｂ１・Ｃ１・Ｄ１・Ｅ１閾蓄電残量を満たす程度の蓄電残量が残っている場合、Ｐ制御部４９は、ＬＥＤ２２・表示部２３・バイブレーター２４・外部用スピーカー１８・フラッシュ部２７を最大量で発光、振動、放音等させるようになっている。
（ｅ）上記の（ｂ）に示すように、外部用スピーカー１８・ＬＥＤ２２のみを駆動させるとき、内蔵充電池４３にＡ４・Ｄ４閾蓄電残量を満たさないがＡ５・Ｄ５閾蓄電残量を満たす程度の蓄電残量が残っている場合、Ｐ制御部４９は、外部用スピーカー１８・ＬＥＤ２２を最小量で駆動（放音・発光）させるようになっている。
（ｆ）上記の（ｃ）に示すように、外部用スピーカー１８のみを駆動させるときに、内蔵充電池４３にＤ１閾蓄電残量を満たさないがＤ２閾蓄電残量満たす程度の蓄電残量が残っている場合、Ｐ制御部４９は、外部用スピーカー１８を最大音量よりも小さな次レベルの音量で放音させるようになっている。
【００７５】
つまり、Ｐ制御部４９は、現蓄電残量に応じて、報知ユニット２１を構成する上記の各部材（ＬＥＤ２２・表示部２３・バイブレーター２４・外部用スピーカー１８・フラッシュ部２７）から、少なくとも１つを選択して、駆動させるようになっている（報知量可変工程）。
【００７６】
そのため、本発明の携帯電話機５９では、蓄電残量が比較的多い場合には、報知効果を高めるため全ての部材を駆動させて報知できる。一方、蓄電残量が比較的少ない場合には、報知効果は低いが長時間にわたって報知できるように、一部の部材のみを駆動させ長時間の報知できるようになっている。
【００７７】
また、駆動する各部材においても、現蓄電残量に応じて、報知量（音量、発光量、振動量等）を可変（音量の増減、発光強度の強弱、振動強度の強弱等）させることもできるようになっている（報知量可変工程）。
【００７８】
したがって、本発明の携帯電話機５９は、内蔵充電池４３の蓄電残量に応じて、種々の報知パターンを行えるようになっている。そのため、蓄電残量の少ない場合は、消費電力の低い報知パターンを行える一方、蓄電残量の多い場合、消費電力は多いもののユーザーに発見しやすいような報知パターン（全ての報知ユニット２１による報知や、最大量による報知）を行える。
［実施の形態２］
本発明の実施の形態について説明する。なお、実施の形態１で用いた部材と同様の機能を有する部材については、同一の符号を付記し、その説明を省略する。
【００７９】
実施の形態１では、探索信号を受信時の内蔵充電池４３の蓄電残量（現蓄電残量）に応じて、Ｐ制御部４９が報知ユニット２１の報知量を可変させている場合について説明してきた。しかし、これに限定されるものではない。
【００８０】
本発明の携帯電話機５９では、充電装置７９から送られてくる予想蓄電残量信号に応じても、Ｐ制御部４９が報知ユニット２１の報知量を可変できるようになっている。
【００８１】
つまり、上述した充電装置７９のＢ制御部６７が、タイマー６３の経過時間に応じて、内蔵充電池４３の蓄電残量を予測し、その予測内容を示す信号である予測蓄電残量信号を探索信号に含ませるようにしている。そのため、携帯電話機５９は、探索信号の受信のとき、同時に、予想蓄電残量信号も受信するようにもなっている（探索信号受信工程）。
【００８２】
そこで、Ｐ制御部４９は、この予想蓄電残量信号を用いて、内蔵充電池４３の蓄電残量を予測し、報知ユニット２１の報知量を可変させている。
【００８３】
なお、本発明の携帯電話機５９では、報知ユニット２１の報知量の可変を行う場合、Ｐ制御部４９が、現蓄電残量および予想蓄電残量の両方を用いてもよいし、いずれか一方（現蓄電残量または予想蓄電残量）を用いてもよい。要は、現蓄電残量および予想蓄電残量における少なくとも一方に応じて、報知ユニット２１による報知量が可変させられるようになっていればよい。
［その他の実施の形態］
なお、本発明は上記の実施の形態に限定されず、本発明の趣旨を逸脱しない範囲で、種々の変更が可能である。例えば上記では、携帯電話機５９とその携帯電話機５９を充電させる充電装置７９とを例に挙げて説明してきたが、これに限定されるものではない。
【００８４】
例えばデジタルカメラと、そのデジタルカメラに内蔵されている内蔵充電池に充電させるような充電装置とのユニット（通信システムユニット）であっても構わないし、携帯音楽視聴装置と、その携帯視聴装置に内蔵されている内蔵充電池に充電させるような充電装置とのユニット（通信システムユニット）であっても構わない。
【００８５】
また、報知量の可変のパターンは上述以外のものであってもよい。例えば外部用スピーカー１８から発せられる音を発信音調の音にするとか、メロディ調の音にするとか、種々の異なる音に変更するようにしてもよい。また、ＬＥＤ２２の発光色を変更させるようにしてもよいし、バイブレーター２４の振動量以外にも、振動パターンを変更させるようにしてもよい。
【００８６】
本発明は、要するに、内蔵充電池４３の蓄電残量に応じて、種々の報知が行えるようになっていればよい。
【００８７】
なお、本発明の携帯電話機５９の各部（例えばＰ制御部４９等）は、それらを機能させるためのプログラム（例えば報知制御プログラム）でも実現される。そして、このプログラムは、コンピューターに実行させるためのプログラムであり、コンピューターに読み取り可能な記録媒体に記録することもできる。
【００８８】
その結果、報知制御プログラムを、記録媒体として、持ち運び自在に提供することができる。
【００８９】
なお、この記録媒体としては、マイクロコンピューターで処理が行われるために、メモリ、例えばＲＯＭのようなものがプログラムメディアであってもよい。また、外部記憶装置（不図示）として、プログラム読み取り装置が設けられ、そこに記録媒体を挿入することで読み取り可能なプログラムメディアであってもよい。
【００９０】
いずれの場合においても、格納されているプログラムは、マイクロプロセッサー（例えばＰ制御部４９）によるアクセスで実行させる構成であってもよい。あるいは、いずれの場合もプログラムを読み出し、読み出されたプログラムは、不図示のプログラム記憶エリアにダウンロードされた後に実行される方式であってもよい。なお、このダウンロード用のプログラムは予め本体装置（携帯電話機５９）に格納されているものとする。
【００９１】
ここで、上記プログラムメディアは、本体（携帯電話機５９）と例えば分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electronically Erasable and Programmable Read Only Memory）、フラッシュメモリ等による半導体メモリを含めた固定的にプログラムを担持する媒体であってもよい。
【００９２】
また、本発明の携帯電話機５９では、インターネットを含む通信ネットワークと接続可能な構成とすることもできる。そのため、通信ネットワークからプログラムをダウンロードするように流動的にプログラムを担持する媒体であってもよい。
【００９３】
なお、このように通信ネットワークからプログラムをダウンロードする場合には、そのダウンロード用のプログラムは予め本体装置（携帯電話機５９）に格納しておくか、あるいは別の記録媒体からインストールされるものであってもよい。
【産業上の利用可能性】
【００９４】
本発明は、携帯端末（例えば携帯電話機）と、それを充電させる充電装置とにおいて、有用である。
【図面の簡単な説明】
【００９５】
【図１】本発明の携帯電話機および充電装置の内部構成を示すブロック図である。
【符号の説明】
【００９６】
１１    無線ユニット
１３    携帯電話機通信部（端末通信部）
１８    外部用スピーカー（放音部）
２１    報知ユニット
２２    ＬＥＤ（発光部）
２３    表示部
２４    バイブレーター（振動部）
２７    フラッシュ部（補助光源部）
４１    電源ユニット
４２    充電装置接続部
４３    内蔵充電池（蓄電池）
４４    切替スイッチ
５９    携帯電話機（携帯端末）
６１    給電接続部（給電部）
６２    充電装置通信部（第１通信部）
６３    タイマー（経過時間計測部）
６７    充電装置制御回路（装置制御部）
７８    商用電源（外部電源）
７９    充電装置
８９    通信システムユニット
【図１】
2006217346.tif 000003